【手続補正書】
【提出日】平成23年4月27日(2011.4.27)
【手続補正１】
【補正対象書類名】特許請求の範囲
【補正対象項目名】全文
【補正方法】変更
【補正の内容】
【特許請求の範囲】
【請求項１】
遊技機に対応して設けられ、
遊技に使用可能な遊技用有価価値の大きさを特定可能な情報が記録された遊技用記録媒体を受け付ける遊技用記録媒体受付手段と、
該遊技用記録媒体受付手段により受け付けた遊技用記録媒体の記録情報から特定される遊技用有価価値の大きさの範囲内における所定の大きさの遊技用有価価値を遊技に使用させるための遊技用有価価値使用処理を行う遊技用有価価値使用処理手段と、
貨幣を受け付ける貨幣受付手段と、
該貨幣受付手段による貨幣の受付を検知する受付検知手段と、
前記貨幣受付手段により受け付けた貨幣の金額に相当する入金有価価値の大きさを記憶する入金有価価値記憶手段と、
該入金有価価値記憶手段に記憶されている入金有価価値の大きさの範囲内における所定の大きさの入金有価価値を遊技に使用させるための入金有価価値使用処理を行う入金有価価値使用処理手段と、を備える遊技用装置であって、
前記受付検知手段により貨幣の受付を検知した後、該受け付けた貨幣の金額に相当する入金有価価値の大きさを前記入金有価価値記憶手段により記憶するまでの記憶処理期間に、前記遊技用記録媒体受付手段により遊技用記録媒体を受け付けたことを条件として、前記受け付けた貨幣を返却する一方、前記記憶処理期間が経過したことを条件として、前記遊技用記録媒体受付手段による遊技用記録媒体の受付を禁止することを特徴とする遊技用装置。
【請求項２】
遊技機に対応して設けられ、
遊技に使用可能な遊技用有価価値の大きさを特定可能な情報が記録された遊技用記録媒体を受け付ける遊技用記録媒体受付手段と、
該遊技用記録媒体受付手段により受け付けた遊技用記録媒体の記録情報から特定される遊技用有価価値の大きさの範囲内における所定の大きさの遊技用有価価値を遊技に使用させるための遊技用有価価値使用処理を行う遊技用有価価値使用処理手段と、
貨幣を受け付ける貨幣受付手段と、
該貨幣受付手段による貨幣の受付を検知する受付検知手段と、
前記貨幣受付手段により受け付けた貨幣の金額に相当する入金有価価値の大きさを特定可能な入金有価価値情報を遊技用装置外部に送信する入金有価価値情報送信手段と、を備える遊技用装置と、
該遊技用装置と通信可能であり、前記入金有価価値情報送信手段より受信した入金有価価値情報から特定される入金有価価値の大きさを記憶する入金有価価値記憶手段を備える管理装置と、
からなる遊技用システムであって、
前記遊技用装置は、
前記入金有価価値記憶手段に記憶されている入金有価価値の大きさの範囲内における所定の大きさの入金有価価値を遊技に使用させるための入金有価価値使用処理を行う入金有価価値使用処理手段をさらに備え、
前記受付検知手段により貨幣の受付を検知した後、前記入金有価価値情報を前記入金有価価値情報送信手段により前記管理装置に対して送信するまでの送信処理期間に、前記遊技用記録媒体受付手段により遊技用記録媒体を受け付けたことを条件として、前記受け付けた貨幣を返却する一方、前記送信処理期間が経過したことを条件として、前記遊技用記録媒体受付手段による遊技用記録媒体の受付を禁止することを特徴とする遊技用システム。
【手続補正２】
【補正対象書類名】明細書
【補正対象項目名】０００７
【補正方法】変更
【補正の内容】
【０００７】
まず請求項１に係る発明は、遊技機（パチンコ機１０）に対応して設けられ、遊技に使用可能な遊技用有価価値の大きさ（カード度数）を特定可能な情報が記録された遊技用記録媒体（プリペイドカード１）を受け付ける遊技用記録媒体受付手段（カードＲ／Ｗ２２）と、該遊技用記録媒体受付手段により受け付けた遊技用記録媒体の記録情報から特定される遊技用有価価値の大きさの範囲内における所定の大きさの遊技用有価価値（使用度数）を遊技に使用させるための遊技用有価価値使用処理（カード玉貸処理）を行う遊技用有価価値使用処理手段（ユニット制御部２１）と、貨幣（紙幣２，硬貨３）を受け付ける貨幣受付手段（紙幣識別機２４，硬貨識別機２５）と、該貨幣受付手段による貨幣の受付を検知する受付検知手段（紙幣受付検知センサ２４ｃ，硬貨受付検知センサ２５ｃ）と、前記貨幣受付手段により受け付けた貨幣の金額に相当する入金有価価値の大きさ（入金度数）を記憶する入金有価価値記憶手段（ユニット制御部２１のＲＡＭ）と、該入金有価価値記憶手段に記憶されている入金有価価値の大きさの範囲内における所定の大きさの入金有価価値（使用度数）を遊技に使用させるための入金有価価値使用処理（現金玉貸処理）を行う入金有価価値使用処理手段（ユニット制御部２１）と、を備える遊技用装置（カードユニット２０）であって、前記受付検知手段により貨幣の受付を検知した後、該受け付けた貨幣の金額に相当する入金有価価値の大きさを前記入金有価価値記憶手段により記憶するまでの記憶処理期間に、前記遊技用記録媒体受付手段により遊技用記録媒体を受け付けたことを条件として、前記受け付けた貨幣を返却する一方、前記記憶処理期間が経過したことを条件として、前記遊技用記録媒体受付手段による遊技用記録媒体の受付を禁止することを特徴とする遊技用装置である。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】変更
【補正の内容】
【００１１】
また請求項２に係る発明は、遊技機（パチンコ機１０）に対応して設けられ、遊技に使用可能な遊技用有価価値の大きさ（カード度数）を特定可能な情報が記録された遊技用記録媒体（プリペイドカード１）を受け付ける遊技用記録媒体受付手段（カードＲ／Ｗ２２）と、該遊技用記録媒体受付手段により受け付けた遊技用記録媒体の記録情報から特定される遊技用有価価値の大きさの範囲内における所定の大きさの遊技用有価価値（使用度数）を遊技に使用させるための遊技用有価価値使用処理（カード玉貸処理）を行う遊技用有価価値使用処理手段（ユニット制御部２１’）と、貨幣（紙幣２，硬貨３）を受け付ける貨幣受付手段（紙幣識別機２４，硬貨識別機２５）と、該貨幣受付手段による貨幣の受付を検知する受付検知手段（紙幣受付検知センサ２４ｃ，硬貨受付検知センサ２５ｃ）と、前記貨幣受付手段により受け付けた貨幣の金額に相当する入金有価価値の大きさ（入金度数）を特定可能な入金有価価値情報（入金度数情報）を遊技用装置外部に送信する入金有価価値情報送信手段（システムコントローラ用通信部２３ａ’）と、を備える遊技用装置（カードユニット２０’）と、該遊技用装置と通信可能であり、前記入金有価価値情報送信手段より受信した入金有価価値情報から特定される入金有価価値の大きさを記憶する入金有価価値記憶手段（ハードディスク３３’の入金度数ＤＢ）を備える管理装置（システムコントローラ３０’）と、からなる遊技用システム（１００’）であって、前記遊技用装置は、前記入金有価価値記憶手段に記憶されている入金有価価値の大きさの範囲内における所定の大きさの入金有価価値（使用度数）を遊技に使用させるための入金有価価値使用処理（現金玉貸処理）を行う入金有価価値使用処理手段（ユニット制御部２１’）をさらに備え、前記受付検知手段により貨幣の受付を検知した後、前記入金有価価値情報を前記入金有価価値情報送信手段により前記管理装置に対して送信するまでの送信処理期間に、前記遊技用記録媒体受付手段により遊技用記録媒体を受け付けたことを条件として、前記受け付けた貨幣を返却する一方、前記送信処理期間が経過したことを条件として、前記遊技用記録媒体受付手段による遊技用記録媒体の受付を禁止することを特徴とする遊技用システムである。
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】変更
【補正の内容】
【００１５】
まず請求項１に係る遊技用装置によれば、遊技者が遊技用有価価値の大きさのある遊技用記録媒体を所持している状態で誤って貨幣を挿入した場合であっても、該貨幣の金額に相当する入金有価価値の大きさが記憶されるまでの記憶処理期間に遊技用記録媒体が受け付けられれば、該挿入された貨幣が返却されて入金が行われないので、無駄な入金によって遊技者が不利益を被るおそれを低減できると共に、記憶処理期間の経過後は遊技用記録媒体の受付が禁止されるので、遊技用記録媒体の受付による処理の煩雑を防止して、貨幣の受付に伴う処理を円滑に行うことができる。
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】変更
【補正の内容】
【００１９】
また請求項２に係る遊技用システムによれば、遊技者が遊技用有価価値の大きさのある遊技用記録媒体を所持している状態で誤って貨幣を遊技用装置に挿入した場合であっても、該貨幣の金額に相当する入金有価価値の大きさを特定可能な入金有価価値情報が遊技用装置から管理装置に対して送信されるまでの送信処理期間に遊技用装置において遊技用記録媒体が受け付けられれば、該挿入された貨幣が返却されて入金が行われないので、無駄な入金によって遊技者が不利益を被るおそれを低減できると共に、送信処理期間の経過後は遊技用記録媒体の受付が禁止されるので、遊技用記録媒体の受付による処理の煩雑を防止して、貨幣の受付に伴う処理を円滑に行うことができる。
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】削除
【補正の内容】
【手続補正１７】
【補正対象書類名】明細書
【補正対象項目名】００２２
【補正方法】削除
【補正の内容】